(57)【要約】【課題】脱衣室側における枠コーナー部の止水性および清掃性を確保することができる浴室出入り口用の建具を提供すること。【解決手段】縦枠における縦枠見付け片および縦枠見込み片で形成された入隅部が略全長に渡って入隅カバー材２０で覆われているので、入隅部の下端部と下枠見込み片３Ｃおよび下枠カバー材３Ｄとの交差部に埃等が溜まることが防止でき、清掃性を良好にできるとともに、建具の外観意匠性も向上させることができる。さらに、入隅カバー材２０の下端面である端部キャップ２５下面と、下枠見込み片３Ｃおよび下枠カバー材３Ｄの上面との間がシール材２７でシールされているので、入隅部の下端部と下枠３との交差部への水の浸入が防止でき、止水性を向上させることができる。【選択図】図４
2008231663.tif 000002
【特許請求の範囲】
【請求項１】
上枠、下枠および左右の縦枠を四周枠組みした枠体と、この枠体に開閉自在に支持された面材とを備え、浴室と脱衣室との出入り口に用いられる建具であって、
前記縦枠には、前記面材よりも脱衣室側にて見付け方向内側に延びる縦枠見付け片と、この縦枠見付け片の基端部から脱衣室側に延びる縦枠見込み片とで入隅部が形成され、前記下枠には、前記縦枠見込み片と略同一見込み位置にて脱衣室側に略水平に延びる下枠見込み片が設けられており、
前記縦枠の入隅部には、当該縦枠の長手方向略全長に沿って設けられ、かつ前記縦枠見付け片および縦枠見込み片の先端部同士に渡る断面を有するとともに、下端面がシール材を介して前記下枠見込み片上面に当接される入隅カバー材が設けられている建具。
【請求項２】
前記入隅カバー材は、前記縦枠の見付け方向内側かつ脱衣室側に向かって凸な曲面状の外側面か、または前記縦枠の見付け方向外側かつ浴室側に向かって凹な曲面状の外側面のいずれかを有して形成されている請求項１に記載の建具。
【請求項３】
前記入隅カバー材は、前記縦枠見付け片および縦枠見込み片の少なくとも一方に形成された係止部に係止されて取り付けられるか、または前記縦枠見付け片および縦枠見込み片の少なくとも一方に固定される固定部材を介して取り付けられている請求項１または請求項２に記載の建具。
【請求項４】
前記入隅カバー材は、前記縦枠見付け片および縦枠見込み片の一方側に係止され、他方側に対して当該入隅カバー材自体の弾性により当接され、この当接位置には、軟質材料から形成された当接部が設けられている請求項１または請求項２に記載の建具。
【請求項５】
前記入隅カバー材と、前記縦枠見付け片および縦枠見込み片のうちの少なくとも縦枠見付け片との間には、止水材が介挿されている請求項１から請求項４のいずれかに記載の建具。
【請求項６】
前記下枠には、前記面材の脱衣室側側面に当接可能かつ前記縦枠見付け片の先端に当接する下枠止水材が設けられており、
前記入隅カバー材は、前記下枠止水材の端部が脱衣室側に倒れた際に当該下枠止水材と当接可能に設けられるか、または前記下枠止水材の脱衣室側への倒れを規制可能に設けられている請求項１から請求項５のいずれかに記載の建具。
【発明の詳細な説明】
【技術分野】
【０００１】
本発明は、建具に関し、詳しくは、浴室と脱衣室との出入り口に用いられる浴室出入り口用の建具に関する。
【背景技術】
【０００２】
枠体（窓枠や戸枠等の建具枠）と面材（障子や引き戸、ドア等）とを有した建具において、枠体の室内側に設けられて建物躯体等に固定されるアングル部材を、樹脂製のカバー部材で覆った構造が提案されている（例えば、特許文献１参照）。
特許文献１に記載された建具では、縦枠の室内側に設けられるアングル部材がカバー部材で覆われており、これによりアングル部材を固定するための釘等を覆い隠すことができ、建具における室内側コーナー部分へ埃等が入り込むことが防止できるとともに、その意匠性を良好にすることができるようになっている。
【０００３】
【特許文献１】実公昭５１−４２６７３号公報
【発明の開示】
【発明が解決しようとする課題】
【０００４】
しかしながら、特許文献１に記載の従来の建具では、カバー部材に形成された舌片と縦枠とは当接されているものの、カバー部材と下枠との当接状態が規定されておらず、縦枠と下枠との交差部の止水性を向上させる効果が得られない。すなわち、従来の建具は、通常の窓として利用されるものであって、窓枠の室内側における縦枠と下枠との交差部、つまり互いの見込み片（アングル部材等）の交差部位置には、通常、止水構造が設けられていない。一方、浴室出入り口用の建具において、面材の閉鎖が不十分な場合などには浴室内の水が脱衣室側に漏れ出る可能性があり、従来の建具と同様の構造を適用した枠体では、縦枠と下枠との交差部から枠体下方に水が浸入する可能性があり、止水性の点で問題である。
【０００５】
本発明の目的は、脱衣室側における枠コーナー部の止水性および清掃性を確保することができる浴室出入り口用の建具を提供することにある。
【課題を解決するための手段】
【０００６】
本発明の建具は、上枠、下枠および左右の縦枠を四周枠組みした枠体と、この枠体に開閉自在に支持された面材とを備え、浴室と脱衣室との出入り口に用いられる建具であって、前記縦枠には、前記面材よりも脱衣室側にて見付け方向内側に延びる縦枠見付け片と、この縦枠見付け片の基端部から脱衣室側に延びる縦枠見込み片とで入隅部が形成され、前記下枠には、前記縦枠見込み片と略同一見込み位置にて脱衣室側に略水平に延びる下枠見込み片が設けられており、前記縦枠の入隅部には、当該縦枠の長手方向略全長に沿って設けられ、かつ前記縦枠見付け片および縦枠見込み片の先端部同士に渡る断面を有するとともに、下端面がシール材を介して前記下枠見込み片上面に当接される入隅カバー材が設けられていることを特徴とする。
【０００７】
ここで、面材としては、四周框組みした内部にパネルを取り付けた障子であってもよく、また板状の部材から構成されたものでもよい。さらに、面材は、引き戸形式で開閉されるものでもよく、開き戸形式や折れ戸形式で開閉されるものでもよい。また、縦枠の縦枠見付け片としては、その浴室側に面材と当接可能な止水材（気密材）が取り付けられる止水材保持部や、逆に面材に取り付けられた止水材（気密材）と当接可能な当接片などであってもよく、また面材との止水や気密とは無関係に形成された突片であってもよい。さらに、縦枠の縦枠見込み片は、建物側の躯体や額縁材等に固定される固定片であってもよく、また躯体等への固定とは無関係に形成された突片であってもよい。
【０００８】
このような本発明によれば、縦枠における縦枠見付け片および縦枠見込み片で形成された入隅部が略全長に渡って入隅カバー材で覆われることで、入隅部の下端部と下枠見込み片との交差部に埃等が溜まることが防止でき、清掃性を良好にできるとともに、建具の外観意匠性も向上させることができる。
さらに、入隅カバー材の下端面を下枠見込み片上面にシール材を介して当接させたことで、入隅部の下端部と下枠見込み片との交差部への水の浸入が防止でき、止水性を向上させることができる。この際、縦枠見付け片および縦枠見込み片と下枠見込み片とにおける一方の端縁と他方の上面や側面との当接位置よりも、入隅カバー材の下端面と下枠見込み片上面との当接位置の方が平面的な拡がりを有した当接面を得ることができるため、シール材の面積を大きくして止水性を確実に発揮させることができる。
【０００９】
この際、本発明の建具では、前記入隅カバー材は、前記縦枠の見付け方向内側かつ脱衣室側に向かって凸な曲面状の外側面か、または前記縦枠の見付け方向外側かつ浴室側に向かって凹な曲面状の外側面のいずれかを有して形成されていることが好ましい。
このような構成によれば、入隅カバー材が凸または凹な曲面状の外側面を有することで、付着した埃等を容易に拭き取り清掃することができるとともに、外観上の角張った部分をなくして意匠性を向上させることができる。さらに、入隅カバー材の外側面が凸な曲面状に形成されていれば、入隅カバー材の水平断面積（水平投影面積）が大きくなることから、その下端面のシール材の面積をより大きくすることができ、止水性を向上させることができる。一方、入隅カバー材の外側面が凹な曲面状に形成されていれば、その下端部と下枠見込み片との交差部に溜まった埃等を凹な曲面に沿って容易に拭き取ることができ、清掃性を向上させることができる。
【００１０】
また、本発明の建具では、前記入隅カバー材は、前記縦枠見付け片および縦枠見込み片の少なくとも一方に形成された係止部に係止されて取り付けられるか、または前記縦枠見付け片および縦枠見込み片の少なくとも一方に固定される固定部材を介して取り付けられていることが好ましい。
このような構成によれば、入隅カバー材を縦枠に容易に取り付けることができる。そして、縦枠見付け片や縦枠見込み片に形成した係止部に入隅カバー材を係止して取り付けるようにすれば、固定用の部材が不要になって部品点数を削減することができる。一方、固定部材を介して入隅カバー材を取り付けるようにすれば、縦枠に取付部等を設けておく必要がないため、共通の枠体を用いて入隅カバー材有無が選択可能になるとともに、利用者の希望に応じて後付で入隅カバー材を取り付けたり、既存の建具に対して入隅カバー材を取り付けたりすることができる。
【００１１】
さらに、本発明の建具では、前記入隅カバー材は、前記縦枠見付け片および縦枠見込み片の一方側に係止され、他方側に対して当該入隅カバー材自体の弾性により当接され、この当接位置には、軟質材料から形成された当接部が設けられていることが好ましい。
このような構成によれば、縦枠見付け片および縦枠見込み片の一方側に入隅カバー材を係止させ、他方側に対しては入隅カバー材の弾性によって当接させるだけで、軟質な当接部により水密性が確保できるので、取付構造を簡便にできる。
【００１２】
また、本発明の建具では、前記入隅カバー材と、前記縦枠見付け片および縦枠見込み片のうちの少なくとも縦枠見付け片との間には、止水材が介挿されていることが好ましい。
このような構成によれば、出入り口の開口部に近く浴室側からの水がかりの可能性が高い縦枠見付け片と入隅カバー材との間に止水材を介挿したことで、これらの隙間をなくして入隅部内への水の浸入を確実に防止することができる。さらに、縦枠見込み片と入隅カバー材との間に止水材を介挿すれば、止水性をさらに向上させることができる。
【００１３】
また、本発明の建具では、前記下枠には、前記面材の脱衣室側側面に当接可能かつ前記縦枠見付け片の先端に当接する下枠止水材が設けられており、前記入隅カバー材は、前記下枠止水材の端部が脱衣室側に倒れた際に当該下枠止水材と当接可能に設けられるか、または前記下枠止水材の脱衣室側への倒れを規制可能に設けられていることが好ましい。
このような構成によれば、縦枠見付け片の先端に当接する下枠止水材の当接状態を維持して下枠端部位置における止水性を確保することができる。すなわち、通常の状態では、下枠止水材が縦枠見付け片の先端に当接しているのであるが、面材の開閉を繰り返すことで下枠止水材の端部が脱衣室側に倒れるように変形してしまう可能性がある。このように下枠止水材の端部が脱衣室側に倒れたとしても、この下枠止水材が当接するように入隅カバー材を設置しておくことで、隙間ができないようにして止水性を確保することができる。一方、入隅カバー材で下枠止水材の倒れを規制しておけば、下枠止水材と縦枠見付け片の先端との当接状態を維持させることができ、この場合でも止水性を確保することができる。そして、万一、下枠止水材を乗り越えた水が脱衣室側に漏れ出たとしても、前述のように入隅カバー材の下端面と下枠見込み片上面との間のシール材によって、枠体下方の躯体側への浸水が防止でき、止水性能を飛躍的に向上させることができる。
【発明を実施するための最良の形態】
【００１４】
以下、本発明の実施形態を図面に基づいて説明する。
図１は、本実施形態の浴室出入り口用の建具である折れ戸１を示す縦断面図である。図２は、折れ戸１を示す横断面図である。
図１および図２において、本実施形態の折れ戸１は、繊維強化プラスチック製の浴槽や浴室床（防水パン）、浴室壁等（不図示）からなる浴室ユニットで構成された浴室と、この浴室に隣接して洗面台や洗濯パン等（不図示）が設置される脱衣室との出入り口に用いられる建具である。この折れ戸１は、それぞれアルミ形材製の上枠２、下枠３および左右の縦枠４を枠組みした枠体である建具枠５と、この建具枠５内部に開閉可能に支持された一対の面材である障子１０とを備えて構成されている。建具枠５の上枠２、下枠３および縦枠４は、脱衣室の床材Ｆや額縁材Ｇ等の建物側支持部に固定されている。
【００１５】
一対の障子１０は、それぞれアルミ形材製の上框１１、下框１２および左右の縦框１３，１４を四周框組みした内部に樹脂パネル１５を嵌めこんで構成されるとともに、互いの隣接する側の縦框１３同士が回動自在に連結されている。このような障子１０は、上枠２に設けられた上レール２Ａと下枠３に設けられた下レール３Ａとに、各縦框１４がスライドかつ回動案内されて開閉できるようになっている。また、上枠２、下枠３および縦枠４には、それぞれ閉じた障子１０の脱衣室側に当接可能な気密材（ＡＴ材）かつ止水材である上枠止水材２Ｂ、下枠止水材３Ｂおよび縦枠止水材４Ａが取り付けられている。従って、障子１０を閉じた状態において、上枠止水材２Ｂが上框１１の脱衣室側側面に当接し、下枠止水材３Ｂが下框１２の脱衣室側側面に当接し、縦枠止水材４Ａが縦框１４の脱衣室側側面に当接することで、浴室の気密性が確保できるとともに、浴室側で使用する水が脱衣室側に漏れ出ないようになっている。
【００１６】
以下、縦枠４および下枠３の脱衣室側部分の構造について、図３〜図６も参照して詳しく説明する。
図３は、縦枠４部分を拡大して示す横断面図である。図４および図５は、縦枠４の下部および下枠３を示す縦断面図および横断面図である。図６は、縦枠４および下枠３部分の止水構造を示す横断面図である。
縦枠４には、障子１０よりも脱衣室側にて見付け方向内側に延びる縦枠見付け片４１と、この縦枠見付け片４１の基端部から脱衣室側に延びる縦枠見込み片４２とが形成され、これらの縦枠見付け片４１および縦枠見込み片４２で入隅部４３が形成されている。そして、縦枠見付け片４１の浴室側に縦枠止水材４Ａが保持され、縦枠見込み片４２は、額縁材Ｇにビス止め固定されている。一方、下枠３には、図４に示すように、縦枠見込み片４２と略同一見込み位置にて脱衣室側に略水平に延びる下枠見込み片３Ｃが形成され、この下枠見込み片３Ｃの上面にアルミ形材製または樹脂製の下枠カバー材３Ｄが取り付けられている。
【００１７】
縦枠４の入隅部４３には、図３に示すように、縦枠４の長手方向略全長に沿って設けられ、かつ縦枠見付け片４１および縦枠見込み片４２の先端部同士に渡る断面を有した入隅カバー材２０が取り付けられている。この入隅カバー材２０は、樹脂製の一体成形品であり、縦枠４の見付け方向内側かつ脱衣室側に向かって凸な外側面２１と、縦枠見付け片４１に沿った取付片２２とを有して形成され、縦枠見込み片４２に固定される固定部材３０を介して入隅部４３に取り付けられている。そして、入隅カバー材２０の内面側である取付片２２の脱衣室側側面と外側面２１の先端部とには、それぞれ固定部材３０に係止される第１被係止部２３および第２被係止部２４が形成されている。
【００１８】
固定部材３０は、縦枠見付け片４１に沿った第１片部３１と、縦枠見込み片４２に沿った第２片部３２とを有して断面Ｌ字形に形成された金属製のピース材であって、ビス３３によって縦枠見込み片４２に固定されている。そして、固定部材３０の第１片部３１先端側には、入隅カバー材２０の第１被係止部２３を係止する第１係止部３４が形成され、第２片部３２先端側には、第２被係止部２４を係止する第２係止部３５が形成されている。このような固定部材３０は、縦枠４に沿った適宜な間隔で複数設置されるようになっている。
【００１９】
また、図４に示すように、入隅カバー材２０の下端部には、端部キャップ２５が取り付けられている。この端部キャップ２５は、その挿入部２６を入隅カバー材２０内部である外側面２１と取付片２２との間に挿入することで、入隅カバー材２０に取り付けられ、端部キャップ２５の底面には、シール材２７が貼り付け固定されている。端部キャップ２５の底面およびシール材２７は、図５にも示すように、入隅カバー材２０の外側面２１と縦枠４の縦枠見付け片４１および縦枠見込み片４２とに沿った外形を有した平面形状を有し、このシール材２７の下面全面が下枠見込み片３Ｃ上面である下枠カバー材３Ｄ上面に当接されている。
【００２０】
以上のような入隅カバー材２０は、複数の固定部材３０を縦枠見込み片４２に取り付けてから、これらの固定部材３０の第１片部３１と縦枠見付け片４１との間に取付片２２を挿入し、固定部材３０の第１係止部３４および第２係止部３５に第１被係止部２３および第２被係止部２４をそれぞれ係止させることで、入隅部４３に取り付けられるようになっている。この際、入隅カバー材２０の上端を上枠２に当接させ、端部キャップ２５の底面およびシール材２７を下枠カバー材３Ｄに押圧するようにして入隅カバー材２０を取り付けることで、シール材２７下面と下枠カバー材３Ｄ上面とが密接されるようになっている。
【００２１】
また、図４および図６に示すように、下枠３に設けられた下枠止水材３Ｂは、下枠見込み片３Ｃの基端位置に保持されて上方に立ち上がって取り付けられ、その両端部が縦枠見付け片４１先端に当接して設けられている。この下枠止水材３Ｂは、縦枠見付け片４１を介して縦枠止水材４Ａと連続するようになっており、このような下枠止水材３Ｂおよび縦枠止水材４Ａによって、障子１０の下側を通過した水の脱衣室側への浸入が阻止される。ところで、下枠止水材３Ｂは、下枠３から立ち上がって取り付けられているため、障子１０の開閉を繰り返すことで、図６に仮想線で示すように、脱衣室側に倒れるように変形し、下枠止水材３Ｂの端部と縦枠見付け片４１との間に隙間が形成される可能性がある。このように下枠止水材３Ｂの端部が脱衣室側に倒れた場合に、この下枠止水材３Ｂが入隅カバー材２０の外側面２１に当接し、隙間ができないことで止水性が確保されるようになっている。なお、ここで、入隅カバー材２０に突起等の規制部を形成して下枠止水材３Ｂの脱衣室側への倒れを防止するようにしてもよく、また入隅カバー材２０と縦枠見付け片４１との間に下枠止水材３Ｂの一部を挟持して倒れを防止するようにしてもよい。
【００２２】
このような本実施形態によれば、以下のような効果がある。
（１）すなわち、縦枠４における縦枠見付け片４１および縦枠見込み片４２で形成された入隅部４３が略全長に渡って入隅カバー材２０で覆われているので、入隅部４３の下端部と下枠見込み片３Ｃおよび下枠カバー材３Ｄとの交差部に埃等が溜まることが防止でき、清掃性を良好にできるとともに、折れ戸１の外観意匠性も向上させることができる。
【００２３】
（２）さらに、入隅カバー材２０の下端面である端部キャップ２５下面と、下枠見込み片３Ｃおよび下枠カバー材３Ｄの上面との間がシール材２７でシールされているので、入隅部４３の下端部と下枠３との交差部への水の浸入が防止でき、止水性を向上させることができる。この際、端部キャップ２５下面およびシール材２７が平面的な拡がりを有して形成されているので、広い当接面を得ることができるため、止水性を確実に発揮させることができる。
【００２４】
（３）また、入隅カバー材２０が脱衣室側に凸な外側面２１を有して形成されているので、付着した埃等を容易に拭き取り清掃することができるとともに、外観上の角張った部分をなくして意匠性を向上させることができる。さらに、入隅カバー材２０の水平投影面積が大きくなることから、シール材２７の面積をより大きくすることができ、止水性を向上させることができる。
【００２５】
（４）また、入隅カバー材２０が固定部材３０を介して縦枠４に取り付けられるので、縦枠４側に受け部等を形成しておく必要がないため、入隅カバー材２０を取り付けるか否かが選択可能になるとともに、利用者の希望に応じて後付で入隅カバー材２０を取り付けたり、既存の縦枠４に対して入隅カバー材２０を取り付けたりすることができる。
【００２６】
なお、本発明は前記実施形態の構成に限定されるものではない。
例えば、前記実施形態では、浴室出入り口用の建具として、折れ戸１を例示して説明したが、本発明の建具は、折れ戸１に限らず、引き戸（片引き戸、引違い戸、三枚建て引き戸等）や開き戸であってもよい。
また、入隅カバー材の形態および縦枠４への取付構造としては、前記実施形態の入隅カバー材２０のものに限らず、以下の図７〜図１０に示すものであってもよい。
【００２７】
図７に示す入隅カバー材２０Ａは、縦枠４の見付け方向内側かつ脱衣室側に向かって凸な１／４円弧状の外側面２１を有して形成され、その両端部に第１被係止部２３および第２被係止部２４が形成されている。一方、縦枠４の縦枠見付け片４１および縦枠見込み片４２の先端部側には、それぞれ第１係止部４１Ａおよび第２係止部４２Ａが形成され、これらの第１係止部４１Ａおよび第２係止部４２Ａに第１被係止部２３および第２被係止部２４が係止されることで、入隅カバー材２０Ａが入隅部４３に取り付けられるようになっている。そして、第１被係止部２３の縦枠見付け片４１側および第２被係止部２４の縦枠見込み片４２側には、それぞれ軟質樹脂からなる止水部２３Ａ，２４Ａが形成され、これらの止水部２３Ａ，２４Ａが縦枠見付け片４１および縦枠見込み片４２に当接することで、入隅部４３への水の浸入が防止できるようになっている。
【００２８】
図８に示す入隅カバー材２０Ｂは、縦枠４の見付け方向外側かつ浴室側に向かって凹な曲面状の外側面２１を有して形成され、その浴室側端部に第１被係止部２３が形成されている。そして、縦枠４の縦枠見付け片４１の先端部側には、第１係止部４１Ａが形成され、この第１係止部４１Ａに第１被係止部２３が係止されることで、入隅カバー材２０Ｂが入隅部４３に取り付けられるようになっている。そして、入隅カバー材２０Ｂは、図８に仮想線で示すような初期形態に形成されており、入隅部４３に取り付けられた状態で変形し、その弾性力により入隅カバー材２０Ｂの脱衣室側端部が縦枠見込み片４２に押圧された状態で当接するようになっている。この入隅カバー材２０Ｂの脱衣室側の端部には、軟質樹脂からなる当接部２１Ａが形成され、この当接部２１Ａが縦枠見込み片４２に当接することで、入隅部４３への水の浸入が防止できるようになっている。このような入隅カバー材２０Ｂによれば、第１係止部４１Ａに第１被係止部２３を係止させ、脱衣室側端部の当接部２１Ａを入隅カバー材２０Ｂの弾性によって縦枠見込み片４２に当接させるだけで、軟質な当接部２１Ａにより水密性が確保できるので、取付構造を簡便にできる。
【００２９】
図９に示す入隅カバー材２０Ｃは、その内面側に延びて固定部材３０に係止される第１被係止部２３および第２被係止部２４を有して形成されている。入隅カバー材２０Ｃの浴室側端部と脱衣室側端部とには、それぞれ縦枠見付け片４１および縦枠見込み片４２に当接する止水材２８Ａ，２８Ｂが取り付けられている。このような入隅カバー材２０Ｃによれば、入隅カバー材２０Ｃの浴室側および脱衣室側の両方の端部と、縦枠見付け片４１および縦枠見込み片４２との間に止水材２８Ａ，２８Ｂが介挿されるので、これらの隙間をなくして入隅部４３内への水の浸入を確実に防止することができる。
【００３０】
図１０に示す入隅カバー材２０Ｄは、縦枠見込み片４２に設けられた回動軸４２Ｂに回動自在に支持される支持部２９と、浴室側端部に取り付けられた止水材２８Ａとを有して構成されている。そして、回動軸４２Ｂには、止水材２８Ａが押圧状態で縦枠見付け片４１に当接された位置で支持部２９を係止し、入隅カバー材２０Ｄの回動を規制する図示しない規制部が形成されている。このような入隅カバー材２０Ｄによれば、図９に仮想線で示すように、支持部２９を回動軸４２Ｂに嵌めてから、この回動軸４２Ｂを中心にして入隅カバー材２０Ｄを浴室側に回動させ、止水材２８Ａを縦枠見付け片４１に当接させることで、支持部２９が回動軸４２Ｂに係止されて位置決めされるようになっている。そして、止水材２８Ａと縦枠見付け片４１との当接状態が維持されることで、入隅部４３内への水の浸入を確実に防止することができる。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３２】
【図１】本発明の建具を示す縦断面図である。
【図２】前記建具を示す横断面図である。
【図３】前記建具における縦枠部分を拡大して示す横断面図である。
【図４】前記建具における縦枠の下部および下枠を示す縦断面図である。
【図５】前記縦枠の下部および下枠を示す横断面図である。
【図６】前記縦枠および下枠部分の止水構造を示す横断面図である。
【図７】本発明の建具に設けられる入隅カバー材の変形例を示す横断面図である。
【図８】前記入隅カバー材の図７とは異なる変形例を示す横断面図である。
【図９】前記入隅カバー材の図７、図８とは異なる変形例を示す横断面図である。
【図１０】前記入隅カバー材の図７〜図９とは異なる変形例を示す横断面図である。
【符号の説明】
【００３３】
１…建具である折れ戸、２…上枠、３…下枠、３Ｂ…下枠止水材、３Ｃ…下枠見込み片、４…縦枠、５…枠体である建具枠、１０…面材である障子、２０，２０Ａ，２０Ｂ，２０Ｃ，２０Ｄ…入隅カバー材、２１…外側面、２１Ａ…当接部、２８Ａ，２８Ｂ…止水材、３０…固定部材、４１…縦枠見付け片、４２…縦枠見込み片、４１Ａ…第１係止部、４２Ａ…第２係止部。
【図１】
2008231663.tif 000003
【図２】
2008231663.tif 000004
【図３】
2008231663.tif 000005
【図４】
2008231663.tif 000006
【図５】
2008231663.tif 000007
【図６】
2008231663.tif 000008
【図７】
2008231663.tif 000009
【図８】
2008231663.tif 000010
【図９】
2008231663.tif 000011
【図１０】
2008231663.tif 000012